(57)【要約】【課題】持ち運びと折り畳みが容易でパイプ椅子の代用として使用可能なベンチベッドを提供する。【解決手段】このベンチベッド８０は、持ち運びが容易で且つ折畳形態、椅子形態、ベッド形態の３形態をとることができる。そして、このベンチベッド８０を従来のパイプ椅子に替えて用いることで、多数のベンチベッド８０を備品として保管することができる。これにより、災害用備蓄品とは別の収容スペースを確保でき、災害用備蓄品の収容スペースを圧迫することが無い。また、このベンチベッド８０は、非常時にはベッドとして使用することができるため、避難者等の特に就寝時の身体的苦痛を軽減することができる。【選択図】図１
2020005854.tif 000002
【特許請求の範囲】
【請求項１】
略長方形の座面を備えた座部と、
略長方形の背凭れ面を備えた背凭れ部と、
前記座部の裏面側に設置され折畳みが可能な脚部と、
前記背凭れ部の裏面側に設置され折畳みが可能な補助脚部と、
前記座部と背凭れ部とを回動可能に接続する連結部と、
前記連結部を、前記座面と背凭れ面とのなす角が０°の折畳形態、もしくは前記座面と背凭れ面とのなす角が１８０°のベッド形態、もしくは前記座面と背凭れ面とのなす角が９０°〜１２０°の椅子形態となる位置で固定する位置決め手段と、を有することを特徴とするベンチベッド。
【請求項２】
ベッド形態をとるときに、
補助脚部と脚部とは、双方が折り畳んだ状態及び立脚した状態のそれぞれにおいて背凭れ面から接地面までの距離と座面から接地面までの距離とが略等しくなる寸法で形成されることを特徴とする請求項１記載のベンチベッド。
【発明の詳細な説明】
【技術分野】
【０００１】
本発明は、持ち運びと折り畳みが可能で長椅子としてもベッドとしても使用可能なベンチベッドに関するものである。
【背景技術】
【０００２】
近年、地震や水害等の自然災害により住民の避難が必要となるケースが増加傾向にある。このような場合、学校や公共施設の体育館等を避難所として用いることが多い。しかしながら、体育館等における災害用備蓄品の保管スペースには限りがあり、マットレス等の嵩張る物品を多数常備することは困難である。従って、避難者は固い床面に毛布や段ボールを敷いて横になる場合が多く、冷たさや床面の硬さ等により快適な睡眠をとることが難しい。このため、特に病人や高齢者では、避難生活によって体調を悪化させる事も少なくない。この点、下記［特許文献１］にはロビーに設けられ、通常時には長椅子として使用し、緊急時にはベッドとして使用可能なロビーチェアに関する発明が開示されている。
【先行技術文献】
【特許文献】
【０００３】
【特許文献１】特開２０１１−８３５２６号公報
【発明の概要】
【発明が解決しようとする課題】
【０００４】
しかしながら、体育館等で使用するロビーチェアには数に限りがあり、多くの避難者に対応することは難しい。尚、一般的な体育館には多数のパイプ椅子が常備されているが、このパイプ椅子をベッドとして使用することは困難である。
【０００５】
本発明は上記事情に鑑みてなされたものであり、持ち運びと折り畳みが容易でパイプ椅子の代用として使用可能なベンチベッドの提供を目的とする。
【課題を解決するための手段】
【０００６】
本発明は、
（１）略長方形の座面２０ａを備えた座部２０と、
略長方形の背凭れ面３０ａを備えた背凭れ部３０と、
前記座部２０の裏面側に設置され折畳みが可能な脚部４０と、
前記背凭れ部３０の裏面側に設置され折畳みが可能な補助脚部５０と、
前記座部２０と背凭れ部３０とを回動可能に接続する連結部６０と、
前記連結部６０を、前記座面２０ａと背凭れ面３０ａとのなす角が０°の折畳形態、もしくは前記座面２０ａと背凭れ面３０ａとのなす角が１８０°のベッド形態、もしくは前記座面２０ａと背凭れ面３０ａとのなす角が９０°〜１２０°の椅子形態となる位置で固定する位置決め手段と、を有することを特徴とするベンチベッド８０を提供することにより、上記課題を解決する。
（２）ベッド形態をとるときに、
補助脚部５０と脚部４０とは、双方が折り畳んだ状態及び立脚した状態のそれぞれにおいて背凭れ面３０ａから接地面までの距離と座面２０ａから接地面までの距離とが略等しくなる寸法で形成されることを特徴とする上記（１）記載のベンチベッド８０を提供することにより、上記課題を解決する。
【発明の効果】
【０００７】
本発明に係るベンチベッドは、持ち運びが容易で且つ折畳形態、椅子形態、ベッド形態の３形態をとることができる。そして、本発明に係るベンチベッドを従来のパイプ椅子に替えて用いることで、多数のベンチベッドを備品として保管することができる。そして、本発明に係るベンチベッドは、非常時にはベッドとして使用することができるため、避難者等の特に就寝時の身体的苦痛を軽減することができる。
【図面の簡単な説明】
【０００８】
【図１】本発明に係るベンチベッドの椅子状態を示す図である。
【図２】本発明に係るベンチベッドの折畳状態を示す図である。
【図３】本発明に係るベンチベッドの低床のベッド状態を示す図である。
【図４】本発明に係るベンチベッドの高床のベッド状態を示す図である。
【図５】本発明に係るベンチベッドの椅子形態の平面図、正面図、右側面図である。
【図６】本発明に係るベンチベッドの椅子形態の背面図、底面図である。
【図７】本発明に係るベンチベッドの位置決め手段の動作を説明する図である。
【発明を実施するための形態】
【０００９】
本発明に係るベンチベッド８０の実施の形態について図面に基づいて説明する。ここで、図１は本発明に係るベンチベッド８０の椅子形態を示す斜視図であり、図２は折畳形態を示す斜視図であり、図３は低床のベッド形態を示す斜視図であり、図４は高床のベッド形態を示す斜視図である。また、図５は椅子形態の平面図、正面図、右側面図であり、図６は背面図、底面図である。
【００１０】
図１〜図６に示す、本発明に係るベンチベッド８０は、略長方形の座面２０ａを備えた座部２０と、同じく略長方形の背凭れ面３０ａを備えた背凭れ部３０と、座部２０の裏面側に設置され折畳みが可能な脚部４０と、背凭れ部３０の裏面側に設置され同じく折畳みが可能な補助脚部５０と、座部２０と背凭れ部３０とを回動可能に接続する連結部６０と、連結部６０を折畳形態、ベッド形態、椅子形態となる位置で固定する位置決め手段（固定ピン７２）と、を有している。尚、ここでの折畳形態とは図２に示すように、座面２０ａと背凭れ面３０ａとのなす角が０°で座面２０ａと背凭れ面３０ａとが向かい合うようにして重なった形態である。また、ベッド形態とは図３、図４に示すように座面２０ａと背凭れ面３０ａとのなす角が１８０°で座面２０ａと背凭れ面３０ａとが一平面を形成する形態である。また、椅子形態とは図１に示すように座面２０ａと背凭れ面３０ａとのなす角が９０°〜１２０°で保持された形態である。尚、ベンチベッド８０は持ち運びを容易とするため、極力軽量となるよう構成する。
【００１１】
また、ベンチベッド８０を構成する座部２０は、例えば金属パイプで構成された座体フレーム２２と、この座体フレーム２２上に固定した座板部２４と、を有しており、この座板部２４の表面が座面２０ａとなる。そして、座体フレーム２２の左右の短辺側には脚部４０がそれぞれ回動可能に固定する。また、ベンチベッド８０を構成する背凭れ部３０は、同じく金属パイプ等で構成された背凭れフレーム３２と、この背凭れフレーム３２上に固定した背凭れ体３４と、を有しており、この背凭れ体３４の表面が背凭れ面３０ａとなる。そして、背凭れフレーム３２の左右の短辺側には補助脚部５０がそれぞれ回動可能に固定する。尚、座板部２４と背凭れ体３４としては所定の厚みのウレタンや低反撥素材、合成樹脂繊維集合体（エアーラッセル（登録商標））等を用いた周知のマットレスを使用することができる。この際、座板部２４と背凭れ体３４とは同一形状、同一素材のものを用いることが好ましい。
【００１２】
また、座体フレーム２２もしくは背凭れフレーム３２には持ち手部２８を設けることが好ましい。この持ち手部２８は一人でも運搬が可能なように座体フレーム２２もしくは背凭れフレーム３２の長辺に設けることが好ましく、特に比較的重量のある座部２０側の座体フレーム２２に設けることが好ましい。また、持ち手部２８は椅子形態において使用の邪魔とならないよう、座部２０と背凭れ部３０との連結側に設けることが好ましい。さらに、持ち手部２８は脚部４０や補助脚部５０の折り畳みを阻害しない位置、例えば折り畳んだ状態の脚部４０もしくは補助脚部５０の間に位置するよう設けることが好ましい。尚、本発明に係るベンチベッド８０では、ベッド形態において座体フレーム２２の長辺と背凭れフレーム３２の長辺とが並んで近接する。従って、持ち手部２８はベッド形態におけるこれら長辺フレームの近接を阻害しないよう、例えば本例で図示するように斜め外側に向けて設けるか、屈曲もしくは湾曲させて構成することが好ましい。さらに、持ち手部２８は折畳形態におけるベンチベッド８０の外寸、即ち、幅方向では連結部６０の外端、高さ方向では折り畳み状態での脚部４０（補助脚部５０）の外端から大きく突出しない寸法とすることが好ましい。この構成によれば、ベンチベッド８０を折畳形態とした場合に持ち手部２８が外方向に突出せず、収容時に無用なデッドスペースが生じない。これにより、省スペースで高密度な収納が可能となる。また、低床のベッド形態としたときでも持ち手部２８が底側に突出せず、使用時にがたつくことも無い。
【００１３】
また、脚部４０は座部２０の裏面に折畳み可能であればどのような構成を用いても良い。ここで、本発明に好適な脚部４０の一例を説明する。本発明に好適な脚部４０は、例えば凸辺が座体フレーム２２に対し回動可能に固定した略コの字形状の金属パイプによって構成される。また、脚部４０の基側には前後の脚部４０に架け渡すようにシャフト４２ａが固定され、このシャフト４２ａに略コの字形状のリンク４２の凸側が回動可能に接続する。また、リンク４２の基側にはスライドシャフト４２ｂが架け渡すように固定され、このスライドシャフト４２ｂは座体フレーム２２に設けられたスリット４６内でスライド可能に保持される。尚、スリット４６の外側の端部には脚部４０の立脚状態をロックするストッパ溝が形成されている。また、スライドシャフト４２ｂには脚部ストッパ４４が当接し、この脚部ストッパ４４の弾性力によってスライドシャフト４２ｂを内側の折り畳み位置とストッパ溝に嵌入した立脚位置とでロックする。尚、脚部４０の立脚時のロックは利用者がスライドシャフト４２ｂをストッパ溝から外すことで解除する。
【００１４】
そして、脚部４０を立脚させる際には、利用者が脚部４０を開方向に回動する。これにより、リンク４２の先側がシャフト４２ａによって引かれ、これに伴い基側のスライドシャフト４２ｂが外側の立脚位置に向かってスライドする。これにより、リンク４２は座体フレーム２２に対して所定の角度をなす。そして、スライドシャフト４２ｂが外側の端部に到達すると、スライドシャフト４２ｂはストッパ溝に落ち込んで立脚位置となる。そして、脚部ストッパ４４がこの立脚位置でスライドシャフト４２ｂをロックする。これにより、脚部４０は立脚状態で固定される。また、脚部４０を折り畳む際には、利用者がスライドシャフト４２ｂをストッパ溝から外し、脚部４０を閉方向に回動する。これにより、リンク４２の先側がシャフト４２ａによって押圧され、これに伴い基側のスライドシャフト４２ｂが内側の折り畳み位置に向かってスライドする。これにより、リンク４２は座体フレーム２２側に引き寄せられ略平行となる。そして、スライドシャフト４２ｂが折り畳み位置に到達すると、脚部ストッパ４４がこの位置でスライドシャフト４２ｂをロックする。これにより、脚部４０は折畳み状態で固定される。
【００１５】
また、補助脚部５０に関しても特に限定は無いが、補助脚部５０と脚部４０とは折り畳んだ状態及び立脚した状態のそれぞれにおいて接地面から背凭れ面３０ａまでの距離と接地面から座面２０ａまでの距離とが等しくなるような寸法で形成する。これにより、高床のベッド形態においても低床のベッド形態においても補助脚部５０と脚部４０とが良好に接地して、ベンチベッド８０をがたつきの無い安定した状態で使用することができる。
【００１６】
ここで、本発明に好適な補助脚部５０の構成としては、例えば補助脚部５０を略コの字形状の線材もしくは金属板で形成し、その両端側を低床のベッド形態時の接地端として山折りに屈曲させた後、背凭れ部３０の短辺と平行な方向に屈曲して回動軸とする。また、背凭れフレーム３２には、補助脚部５０の回動を規制するスリットと垂直方向に立ち上げられた軸孔とを有する補助脚固定プレート５２が固定し、補助脚部５０の回動軸（屈曲端）が補助脚固定プレート５２のスリットを通して軸孔に嵌入することで背凭れ部３０に対し回動可能に接続する。また、補助脚固定プレート５２のスリットには補助脚部５０を立脚状態でロックするストッパ溝５４が形成され、またこのストッパ溝５４に繋がるスリットの辺縁はストッパ溝５４側が内側に狭まるよう斜めに形成されている。そして、補助脚部５０を立脚させる際には、利用者が補助脚部５０を開方向に回動する。これにより、補助脚部５０の基側が湾曲しながら斜めの辺縁に沿って進み、頂点を超えたところでストッパ溝５４に落ち込む。これにより、補助脚部５０は立脚状態でロックされる。また、補助脚部５０を折り畳む際には、利用者が補助脚部５０の基部を内側に撓ませてストッパ溝５４から外す。これにより、補助脚部５０のロック状態は解除される。そして、補助脚部５０を閉方向に回動することで補助脚部５０は折り畳まれる。尚、補助脚部５０は外側に向けて弾性力が働いているため、自然状態で斜めの辺縁部をストッパ溝５４に向けて移動することはない。
【００１７】
また、連結部６０、位置決め手段に関しても特に限定は無く、どのような構成を用いても良い。ただし、位置決め手段は、前述のように座面２０ａと背凭れ面３０ａとのなす角が０°の折畳形態と、なす角が１８０°のベッド形態と、なす角が９０°〜１２０°の椅子形態の少なくとも３形態で固定可能とする。尚、椅子形態における背凭れ面３０ａの角度は９０°〜１２０°の中の特定の１つの角度としても良いし、複数の角度として多段階的にリクライニング可能としても良い。尚、本例では椅子形態での背凭れ面３０ａの角度が９５°の例を図示している。
【００１８】
ここで、本発明に好適な連結部６０及び位置決め手段の一例を図７を用いて説明する。尚、図７では脚部４０及び補助脚部５０の図示は省略する。先ず、本発明に好適な連結部６０は、座部２０の連結側の両端に設けられた第１のプレート６２と、この第１のプレート６２と部分的に重なり背凭れ部３０の連結側の両端に設けられた第２のプレート６４と、これら第１のプレート６２と第２のプレート６４とを回動可能に繋ぐ連結シャフト６６と、を有している。そして、この連結シャフト６６を回転軸として第２のプレート６４が第１のプレート６２に対して回動することで背凭れ部３０が座部２０に対して回動する。
【００１９】
また、本発明に好適な位置決め手段は、第１のプレート６２の所定の位置に形成された固定孔７６と、第２のプレート６４が折畳形態、椅子形態、ベッド形態をそれぞれとるときの固定孔７６の位置に形成された位置決め孔７４ａ、７４ｂ、７４ｃと、固定孔７６と位置決め孔７４ａ、７４ｂ、７４ｃとに挿入して第２のプレート６４を所定の角度で固定する固定ピン７２と、を有している。尚、固定ピン７２としては、持ち手を引くことでノーズが引っ込み、持ち手を離すことでノーズが突出する所謂インデックスプランジャを固定孔７６に設置して構成することが特に好ましい。
【００２０】
そして、図７（ａ）に示す折畳形態では固定孔７６と位置決め孔７４ａの位置とが一致し、固定ピン７２がこれらに挿入することでベンチベッド８０は折畳形態でロックする。また、図７（ｂ）に示す椅子形態では、固定孔７６と位置決め孔７４ｂの位置とが一致し、固定ピン７２がこれらに挿入することでベンチベッド８０は椅子形態でロックする。また、図７（ｃ）に示すベッド形態では固定孔７６と位置決め孔７４ｃの位置とが一致し、固定ピン７２がこれらに挿入することでベンチベッド８０はベッド形態でロックする。尚、椅子形態をとる位置決め孔７４ｂを複数の角度位置に形成することで、背凭れ面３０ａの角度を多段階で可変することが可能となる。
【００２１】
次に、本発明に係るベンチベッド８０の使用方法の例を説明する。先ず、本発明に係るベンチベッド８０は従来のパイプ椅子の代用として使用可能であり、通常、椅子形態で常用されているか、折畳形態で体育館や公民館、会議室、ホール、その他の施設の保管場所に積載もしくは並べて保管されている。そして、必要に応じて保管場所から取り出され使用される。尚、折畳形態では、座部２０と背凭れ部３０とが位置決め手段によりロックされ、脚部４０及び補助脚部５０もそれぞれ折畳み状態でロックされているから、これらが運搬途中で開くことは無い。また、ベンチベッド８０は長辺方向に持ち手部２８を有しており一人でも持ち運びが可能である。
【００２２】
次に、ベンチベッド８０を椅子として用いる場合、設置場所にて位置決め手段のロックを解除し、背凭れ部３０を椅子形態の角度まで回動して、再度、位置決め手段によりロックする。次に、左右の脚部４０を折り畳み状態から立脚状態に回動する。このとき脚部ストッパ４４がスライドシャフト４２ｂをロックし、ベンチベッド８０は図１に示す椅子形態で保持される。そして、ベンチベッド８０は長椅子として使用される。尚、脚部４０を折り畳み状態のまま用いることで、ベンチベッド８０を座椅子として使用することも可能である。
【００２３】
次に、ベンチベッド８０をベッドとして用いる場合、設置場所にて位置決め手段のロックを解除し、背凭れ部３０をベッド形態の角度まで回動して、再度、位置決め手段によりロックする。また、脚部４０及び補助脚部５０は折畳み状態のままとする。これにより、ベンチベッド８０は座面２０ａと背凭れ面３０ａとが一平面となった図３に示す底床のベッド形態となる。そして、特に避難時等にベッドとして使用される。この際、座面２０ａから折り畳んだ状態の脚部４０の接地面までの距離と、背凭れ面３０ａから折り畳んだ状態の補助脚部５０の接地面までの距離とは略同等に構成されるため、補助脚部５０と脚部４０とは良好に接地して、ベンチベッド８０をがたつきの無い安定した状態で使用することができる。
【００２４】
また、医療的ケアが必要な場合、高齢等で寝起きに負担がかかる場合、荷物置き場等のスペースが必要な場合等には、左右の脚部４０を折り畳み状態から立脚状態に回動してロックする。また、左右の補助脚部５０を折り畳み状態から立脚状態に回動してロックする。これにより、ベンチベッド８０を図４に示す高床のベッドとして使用することができる。この際、座面２０ａから立脚した状態の脚部４０の接地面までの距離と、背凭れ面３０ａから立脚した状態の補助脚部５０の接地面までの距離とは略同等に構成されるため、補助脚部５０と脚部４０とは良好に接地して、ベンチベッド８０をがたつきの無い安定した状態で使用することができる。
【００２５】
以上のように、本発明に係るベンチベッド８０は、持ち運びが容易で且つ折畳形態、椅子形態、ベッド形態の３形態をとることができる。そして、本発明に係るベンチベッド８０を従来のパイプ椅子に替えて用いることで、多数のベンチベッド８０を備品として保管することができる。これにより、災害用備蓄品とは別の収容スペースを確保でき、災害用備蓄品の収容スペースを圧迫することが無い。また、本発明に係るベンチベッド８０は、非常時にはベッドとして使用することができるため、避難者等の特に就寝時の身体的苦痛を軽減することができる。
【００２６】
尚、本例で示したベンチベッド８０の各部の構成、形状、寸法、デザイン、動作機構等は一例であり、本発明は本発明の要旨を逸脱しない範囲で変更して実施することが可能である。
【符号の説明】
【００２７】
２０    座部
２０ａ  座面
３０    背凭れ部
３０ａ  背凭れ面
４０    脚部
５０    補助脚部
６０    連結部
８０    ベンチベッド
【図１】
2020005854.tif 000003
【図２】
2020005854.tif 000004
【図３】
2020005854.tif 000005
【図４】
2020005854.tif 000006
【図５】
2020005854.tif 000007
【図６】
2020005854.tif 000008
【図７】
2020005854.tif 000009
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
略長方形の座面を備えた座部と、
略長方形の背凭れ面を備えた背凭れ部と、
前記座部の裏面側に設置され折畳みが可能な脚部と、
前記背凭れ部の裏面側に設置され折畳みが可能な補助脚部と、
前記座部と背凭れ部とを回動可能に接続する連結部と、
前記連結部を、前記座面と背凭れ面とのなす角が０°の折畳形態、もしくは前記座面と背凭れ面とのなす角が１８０°のベッド形態、もしくは前記座面と背凭れ面とのなす角が９０°〜１２０°の椅子形態となる位置で固定する位置決め手段と、を有し、
前記連結部は、前記座部の連結側の両端に設けられた第１のプレートと、前記第１のプレートと部分的に重なり前記背凭れ部の連結側の両端に設けられた第２のプレートと、前記第１のプレートと第２のプレートとを回動可能に繋ぐ連結シャフトと、を備え、
前記位置決め手段は、前記第１のプレートの所定の位置に形成された固定孔と、前記第２のプレートが折畳形態、椅子形態、ベッド形態をそれぞれとるときの前記固定孔の位置にそれぞれ形成された位置決め孔と、前記固定孔と位置決め孔とに挿入して前記第２のプレートを折畳形態、椅子形態、ベッド形態のいずれかの角度で固定する固定ピンと、を備えることを特徴とするベンチベッド。
【請求項２】
固定ピンが、固定孔に設けられ持ち手を引くことでノーズが引っ込み、持ち手を離すことでノーズが突出するインデックスプランジャであることを特徴とする請求項１に記載のベンチベッド。
【請求項３】
座部を構成する座体フレームの連結側の長辺に持ち手部を有し、
前記持ち手部は、ベッド形態における前記座体フレームの長辺と背凭れ部を構成する背凭れフレームの長辺との近接を阻害しないように斜め外側に向けて設けられ、かつ折畳形態におけるベンチベッドの外寸から突出しない寸法とすることを特徴とする請求項１または請求項２に記載のベンチベッド。
【請求項４】
ベッド形態をとるときに、
補助脚部と脚部とは、双方が折り畳んだ状態及び立脚した状態のそれぞれにおいて背凭れ面から接地面までの距離と座面から接地面までの距離とが略等しくなる寸法で形成されることを特徴とする請求項１乃至請求項３のいずれかに記載のベンチベッド。
【手続補正２】
【補正対象書類名】明細書
【補正対象項目名】全文
【補正方法】変更
【補正の内容】
【発明の詳細な説明】
【技術分野】
【０００１】
本発明は、持ち運びと折り畳みが可能で長椅子としてもベッドとしても使用可能なベンチベッドに関するものである。
【背景技術】
【０００２】
近年、地震や水害等の自然災害により住民の避難が必要となるケースが増加傾向にある。このような場合、学校や公共施設の体育館等を避難所として用いることが多い。しかしながら、体育館等における災害用備蓄品の保管スペースには限りがあり、マットレス等の嵩張る物品を多数常備することは困難である。従って、避難者は固い床面に毛布や段ボールを敷いて横になる場合が多く、冷たさや床面の硬さ等により快適な睡眠をとることが難しい。このため、特に病人や高齢者では、避難生活によって体調を悪化させる事も少なくない。この点、下記［特許文献１］にはロビーに設けられ、通常時には長椅子として使用し、緊急時にはベッドとして使用可能なロビーチェアに関する発明が開示されている。
【先行技術文献】
【特許文献】
【０００３】
【特許文献１】特開２０１１−８３５２６号公報
【発明の概要】
【発明が解決しようとする課題】
【０００４】
しかしながら、体育館等で使用するロビーチェアには数に限りがあり、多くの避難者に対応することは難しい。尚、一般的な体育館には多数のパイプ椅子が常備されているが、このパイプ椅子をベッドとして使用することは困難である。
【０００５】
本発明は上記事情に鑑みてなされたものであり、持ち運びと折り畳みが容易でパイプ椅子の代用として使用可能なベンチベッドの提供を目的とする。
【課題を解決するための手段】
【０００６】
本発明は、
（１）略長方形の座面２０ａを備えた座部２０と、
略長方形の背凭れ面３０ａを備えた背凭れ部３０と、
前記座部２０の裏面側に設置され折畳みが可能な脚部４０と、
前記背凭れ部３０の裏面側に設置され折畳みが可能な補助脚部５０と、
前記座部２０と背凭れ部３０とを回動可能に接続する連結部６０と、
前記連結部６０を、前記座面２０ａと背凭れ面３０ａとのなす角が０°の折畳形態、もしくは前記座面２０ａと背凭れ面３０ａとのなす角が１８０°のベッド形態、もしくは前記座面２０ａと背凭れ面３０ａとのなす角が９０°〜１２０°の椅子形態となる位置で固定する位置決め手段と、を有し、
前記連結部６０は、前記座部２０の連結側の両端に設けられた第１のプレート６２と、前記第１のプレート６２と部分的に重なり前記背凭れ部３０の連結側の両端に設けられた第２のプレート６４と、前記第１のプレート６２と第２のプレート６４とを回動可能に繋ぐ連結シャフト６６と、を備え、
前記位置決め手段は、前記第１のプレート６２の所定の位置に形成された固定孔７６と、前記第２のプレート６４が折畳形態、椅子形態、ベッド形態をそれぞれとるときの前記固定孔７６の位置にそれぞれ形成された位置決め孔７４ａ、７４ｂ、７４ｃと、前記固定孔７６と位置決め孔７４ａ、７４ｂ、７４ｃとに挿入して前記第２のプレート６４を折畳形態、椅子形態、ベッド形態のいずれかの角度で固定する固定ピン７２と、を備えることを特徴とするベンチベッド８０を提供することにより、上記課題を解決する。
（２）固定ピン７２が、固定孔７６に設けられ持ち手を引くことでノーズが引っ込み、持ち手を離すことでノーズが突出するインデックスプランジャであることを特徴とする上記（１）に記載のベンチベッド８０を提供することにより、上記課題を解決する。
（３）座部２０を構成する座体フレーム２２の連結側の長辺に持ち手部２８を有し、
前記持ち手部２８は、ベッド形態における前記座体フレーム２２の長辺と背凭れ部３０を構成する背凭れフレーム３２の長辺との近接を阻害しないように斜め外側に向けて設けられ、かつ折畳形態におけるベンチベッド８０の外寸から突出しない寸法とすることを特徴とする上記（１）または（２）に記載のベンチベッド８０を提供することにより、上記課題を解決する。
（４）ベッド形態をとるときに、
補助脚部５０と脚部４０とは、双方が折り畳んだ状態及び立脚した状態のそれぞれにおいて背凭れ面３０ａから接地面までの距離と座面２０ａから接地面までの距離とが略等しくなる寸法で形成されることを特徴とする上記（１）乃至（３）のいずれかに記載のベンチベッド８０を提供することにより、上記課題を解決する。
【発明の効果】
【０００７】
本発明に係るベンチベッドは、持ち運びが容易で且つ折畳形態、椅子形態、ベッド形態の３形態をとることができる。そして、本発明に係るベンチベッドを従来のパイプ椅子に替えて用いることで、多数のベンチベッドを備品として保管することができる。そして、本発明に係るベンチベッドは、非常時にはベッドとして使用することができるため、避難者等の特に就寝時の身体的苦痛を軽減することができる。
【図面の簡単な説明】
【０００８】
【図１】本発明に係るベンチベッドの椅子状態を示す図である。
【図２】本発明に係るベンチベッドの折畳状態を示す図である。
【図３】本発明に係るベンチベッドの低床のベッド状態を示す図である。
【図４】本発明に係るベンチベッドの高床のベッド状態を示す図である。
【図５】本発明に係るベンチベッドの椅子形態の平面図、正面図、右側面図である。
【図６】本発明に係るベンチベッドの椅子形態の背面図、底面図である。
【図７】本発明に係るベンチベッドの位置決め手段の動作を説明する図である。
【発明を実施するための形態】
【０００９】
本発明に係るベンチベッド８０の実施の形態について図面に基づいて説明する。ここで、図１は本発明に係るベンチベッド８０の椅子形態を示す斜視図であり、図２は折畳形態を示す斜視図であり、図３は低床のベッド形態を示す斜視図であり、図４は高床のベッド形態を示す斜視図である。また、図５は椅子形態の平面図、正面図、右側面図であり、図６は背面図、底面図である。
【００１０】
図１〜図６に示す、本発明に係るベンチベッド８０は、略長方形の座面２０ａを備えた座部２０と、同じく略長方形の背凭れ面３０ａを備えた背凭れ部３０と、座部２０の裏面側に設置され折畳みが可能な脚部４０と、背凭れ部３０の裏面側に設置され同じく折畳みが可能な補助脚部５０と、座部２０と背凭れ部３０とを回動可能に接続する連結部６０と、連結部６０を折畳形態、ベッド形態、椅子形態となる位置で固定する位置決め手段（固定ピン７２）と、を有している。尚、ここでの折畳形態とは図２に示すように、座面２０ａと背凭れ面３０ａとのなす角が０°で座面２０ａと背凭れ面３０ａとが向かい合うようにして重なった形態である。また、ベッド形態とは図３、図４に示すように座面２０ａと背凭れ面３０ａとのなす角が１８０°で座面２０ａと背凭れ面３０ａとが一平面を形成する形態である。また、椅子形態とは図１に示すように座面２０ａと背凭れ面３０ａとのなす角が９０°〜１２０°で保持された形態である。尚、ベンチベッド８０は持ち運びを容易とするため、極力軽量となるよう構成する。
【００１１】
また、ベンチベッド８０を構成する座部２０は、例えば金属パイプで構成された座体フレーム２２と、この座体フレーム２２上に固定した座板部２４と、を有しており、この座板部２４の表面が座面２０ａとなる。そして、座体フレーム２２の左右の短辺側には脚部４０がそれぞれ回動可能に固定する。また、ベンチベッド８０を構成する背凭れ部３０は、同じく金属パイプ等で構成された背凭れフレーム３２と、この背凭れフレーム３２上に固定した背凭れ体３４と、を有しており、この背凭れ体３４の表面が背凭れ面３０ａとなる。そして、背凭れフレーム３２の左右の短辺側には補助脚部５０がそれぞれ回動可能に固定する。尚、座板部２４と背凭れ体３４としては所定の厚みのウレタンや低反撥素材、合成樹脂繊維集合体（エアーラッセル（登録商標））等を用いた周知のマットレスを使用することができる。この際、座板部２４と背凭れ体３４とは同一形状、同一素材のものを用いることが好ましい。
【００１２】
また、座体フレーム２２もしくは背凭れフレーム３２には持ち手部２８を設けることが好ましい。この持ち手部２８は一人でも運搬が可能なように座体フレーム２２もしくは背凭れフレーム３２の長辺に設けることが好ましく、特に比較的重量のある座部２０側の座体フレーム２２に設けることが好ましい。また、持ち手部２８は椅子形態において使用の邪魔とならないよう、座部２０と背凭れ部３０との連結側に設けることが好ましい。さらに、持ち手部２８は脚部４０や補助脚部５０の折り畳みを阻害しない位置、例えば折り畳んだ状態の脚部４０もしくは補助脚部５０の間に位置するよう設けることが好ましい。尚、本発明に係るベンチベッド８０では、ベッド形態において座体フレーム２２の長辺と背凭れフレーム３２の長辺とが並んで近接する。従って、持ち手部２８はベッド形態におけるこれら長辺フレームの近接を阻害しないよう、例えば本例で図示するように斜め外側に向けて設けるか、屈曲もしくは湾曲させて構成することが好ましい。さらに、持ち手部２８は折畳形態におけるベンチベッド８０の外寸、即ち、幅方向では連結部６０の外端、高さ方向では折り畳み状態での脚部４０（補助脚部５０）の外端から大きく突出しない寸法とすることが好ましい。この構成によれば、ベンチベッド８０を折畳形態とした場合に持ち手部２８が外方向に突出せず、収容時に無用なデッドスペースが生じない。これにより、省スペースで高密度な収納が可能となる。また、低床のベッド形態としたときでも持ち手部２８が底側に突出せず、使用時にがたつくことも無い。
【００１３】
また、脚部４０は座部２０の裏面に折畳み可能であればどのような構成を用いても良い。ここで、本発明に好適な脚部４０の一例を説明する。本発明に好適な脚部４０は、例えば凸辺が座体フレーム２２に対し回動可能に固定した略コの字形状の金属パイプによって構成される。また、脚部４０の基側には前後の脚部４０に架け渡すようにシャフト４２ａが固定され、このシャフト４２ａに略コの字形状のリンク４２の凸側が回動可能に接続する。また、リンク４２の基側にはスライドシャフト４２ｂが架け渡すように固定され、このスライドシャフト４２ｂは座体フレーム２２に設けられたスリット４６内でスライド可能に保持される。尚、スリット４６の外側の端部には脚部４０の立脚状態をロックするストッパ溝が形成されている。また、スライドシャフト４２ｂには脚部ストッパ４４が当接し、この脚部ストッパ４４の弾性力によってスライドシャフト４２ｂを内側の折り畳み位置とストッパ溝に嵌入した立脚位置とでロックする。尚、脚部４０の立脚時のロックは利用者がスライドシャフト４２ｂをストッパ溝から外すことで解除する。
【００１４】
そして、脚部４０を立脚させる際には、利用者が脚部４０を開方向に回動する。これにより、リンク４２の先側がシャフト４２ａによって引かれ、これに伴い基側のスライドシャフト４２ｂが外側の立脚位置に向かってスライドする。これにより、リンク４２は座体フレーム２２に対して所定の角度をなす。そして、スライドシャフト４２ｂが外側の端部に到達すると、スライドシャフト４２ｂはストッパ溝に落ち込んで立脚位置となる。そして、脚部ストッパ４４がこの立脚位置でスライドシャフト４２ｂをロックする。これにより、脚部４０は立脚状態で固定される。また、脚部４０を折り畳む際には、利用者がスライドシャフト４２ｂをストッパ溝から外し、脚部４０を閉方向に回動する。これにより、リンク４２の先側がシャフト４２ａによって押圧され、これに伴い基側のスライドシャフト４２ｂが内側の折り畳み位置に向かってスライドする。これにより、リンク４２は座体フレーム２２側に引き寄せられ略平行となる。そして、スライドシャフト４２ｂが折り畳み位置に到達すると、脚部ストッパ４４がこの位置でスライドシャフト４２ｂをロックする。これにより、脚部４０は折畳み状態で固定される。
【００１５】
また、補助脚部５０に関しても特に限定は無いが、補助脚部５０と脚部４０とは折り畳んだ状態及び立脚した状態のそれぞれにおいて接地面から背凭れ面３０ａまでの距離と接地面から座面２０ａまでの距離とが等しくなるような寸法で形成する。これにより、高床のベッド形態においても低床のベッド形態においても補助脚部５０と脚部４０とが良好に接地して、ベンチベッド８０をがたつきの無い安定した状態で使用することができる。
【００１６】
ここで、本発明に好適な補助脚部５０の構成としては、例えば補助脚部５０を略コの字形状の線材もしくは金属板で形成し、その両端側を低床のベッド形態時の接地端として山折りに屈曲させた後、背凭れ部３０の短辺と平行な方向に屈曲して回動軸とする。また、背凭れフレーム３２には、補助脚部５０の回動を規制するスリットと垂直方向に立ち上げられた軸孔とを有する補助脚固定プレート５２が固定し、補助脚部５０の回動軸（屈曲端）が補助脚固定プレート５２のスリットを通して軸孔に嵌入することで背凭れ部３０に対し回動可能に接続する。また、補助脚固定プレート５２のスリットには補助脚部５０を立脚状態でロックするストッパ溝５４が形成され、またこのストッパ溝５４に繋がるスリットの辺縁はストッパ溝５４側が内側に狭まるよう斜めに形成されている。そして、補助脚部５０を立脚させる際には、利用者が補助脚部５０を開方向に回動する。これにより、補助脚部５０の基側が湾曲しながら斜めの辺縁に沿って進み、頂点を超えたところでストッパ溝５４に落ち込む。これにより、補助脚部５０は立脚状態でロックされる。また、補助脚部５０を折り畳む際には、利用者が補助脚部５０の基部を内側に撓ませてストッパ溝５４から外す。これにより、補助脚部５０のロック状態は解除される。そして、補助脚部５０を閉方向に回動することで補助脚部５０は折り畳まれる。尚、補助脚部５０は外側に向けて弾性力が働いているため、自然状態で斜めの辺縁部をストッパ溝５４に向けて移動することはない。
【００１７】
また、位置決め手段は、前述のように座面２０ａと背凭れ面３０ａとのなす角が０°の折畳形態と、なす角が１８０°のベッド形態と、なす角が９０°〜１２０°の椅子形態の少なくとも３形態で固定可能とする。尚、椅子形態における背凭れ面３０ａの角度は９０°〜１２０°の中の特定の１つの角度としても良いし、複数の角度として多段階的にリクライニング可能としても良い。尚、本例では椅子形態での背凭れ面３０ａの角度が９５°の例を図示している。
【００１８】
ここで、本発明の連結部６０及び位置決め手段を図７を用いて説明する。尚、図７では脚部４０及び補助脚部５０の図示は省略する。先ず、本発明に好適な連結部６０は、座部２０の連結側の両端に設けられた第１のプレート６２と、この第１のプレート６２と部分的に重なり背凭れ部３０の連結側の両端に設けられた第２のプレート６４と、これら第１のプレート６２と第２のプレート６４とを回動可能に繋ぐ連結シャフト６６と、を有している。そして、この連結シャフト６６を回転軸として第２のプレート６４が第１のプレート６２に対して回動することで背凭れ部３０が座部２０に対して回動する。
【００１９】
また、本発明の位置決め手段は、第１のプレート６２の所定の位置に形成された固定孔７６と、第２のプレート６４が折畳形態、椅子形態、ベッド形態をそれぞれとるときの固定孔７６の位置に形成された位置決め孔７４ａ、７４ｂ、７４ｃと、固定孔７６と位置決め孔７４ａ、７４ｂ、７４ｃとに挿入して第２のプレート６４を所定の角度で固定する固定ピン７２と、を有している。尚、固定ピン７２としては、持ち手を引くことでノーズが引っ込み、持ち手を離すことでノーズが突出する所謂インデックスプランジャを固定孔７６に設置して構成することが特に好ましい。
【００２０】
そして、図７（ａ）に示す折畳形態では固定孔７６と位置決め孔７４ａの位置とが一致し、固定ピン７２がこれらに挿入することでベンチベッド８０は折畳形態でロックする。また、図７（ｂ）に示す椅子形態では、固定孔７６と位置決め孔７４ｂの位置とが一致し、固定ピン７２がこれらに挿入することでベンチベッド８０は椅子形態でロックする。また、図７（ｃ）に示すベッド形態では固定孔７６と位置決め孔７４ｃの位置とが一致し、固定ピン７２がこれらに挿入することでベンチベッド８０はベッド形態でロックする。尚、椅子形態をとる位置決め孔７４ｂを複数の角度位置に形成することで、背凭れ面３０ａの角度を多段階で可変することが可能となる。
【００２１】
次に、本発明に係るベンチベッド８０の使用方法の例を説明する。先ず、本発明に係るベンチベッド８０は従来のパイプ椅子の代用として使用可能であり、通常、椅子形態で常用されているか、折畳形態で体育館や公民館、会議室、ホール、その他の施設の保管場所に積載もしくは並べて保管されている。そして、必要に応じて保管場所から取り出され使用される。尚、折畳形態では、座部２０と背凭れ部３０とが位置決め手段によりロックされ、脚部４０及び補助脚部５０もそれぞれ折畳み状態でロックされているから、これらが運搬途中で開くことは無い。また、ベンチベッド８０は長辺方向に持ち手部２８を有しており一人でも持ち運びが可能である。
【００２２】
次に、ベンチベッド８０を椅子として用いる場合、設置場所にて位置決め手段のロックを解除し、背凭れ部３０を椅子形態の角度まで回動して、再度、位置決め手段によりロックする。次に、左右の脚部４０を折り畳み状態から立脚状態に回動する。このとき脚部ストッパ４４がスライドシャフト４２ｂをロックし、ベンチベッド８０は図１に示す椅子形態で保持される。そして、ベンチベッド８０は長椅子として使用される。尚、脚部４０を折り畳み状態のまま用いることで、ベンチベッド８０を座椅子として使用することも可能である。
【００２３】
次に、ベンチベッド８０をベッドとして用いる場合、設置場所にて位置決め手段のロックを解除し、背凭れ部３０をベッド形態の角度まで回動して、再度、位置決め手段によりロックする。また、脚部４０及び補助脚部５０は折畳み状態のままとする。これにより、ベンチベッド８０は座面２０ａと背凭れ面３０ａとが一平面となった図３に示す底床のベッド形態となる。そして、特に避難時等にベッドとして使用される。この際、座面２０ａから折り畳んだ状態の脚部４０の接地面までの距離と、背凭れ面３０ａから折り畳んだ状態の補助脚部５０の接地面までの距離とは略同等に構成されるため、補助脚部５０と脚部４０とは良好に接地して、ベンチベッド８０をがたつきの無い安定した状態で使用することができる。
【００２４】
また、医療的ケアが必要な場合、高齢等で寝起きに負担がかかる場合、荷物置き場等のスペースが必要な場合等には、左右の脚部４０を折り畳み状態から立脚状態に回動してロックする。また、左右の補助脚部５０を折り畳み状態から立脚状態に回動してロックする。これにより、ベンチベッド８０を図４に示す高床のベッドとして使用することができる。この際、座面２０ａから立脚した状態の脚部４０の接地面までの距離と、背凭れ面３０ａから立脚した状態の補助脚部５０の接地面までの距離とは略同等に構成されるため、補助脚部５０と脚部４０とは良好に接地して、ベンチベッド８０をがたつきの無い安定した状態で使用することができる。
【００２５】
以上のように、本発明に係るベンチベッド８０は、持ち運びが容易で且つ折畳形態、椅子形態、ベッド形態の３形態をとることができる。そして、本発明に係るベンチベッド８０を従来のパイプ椅子に替えて用いることで、多数のベンチベッド８０を備品として保管することができる。これにより、災害用備蓄品とは別の収容スペースを確保でき、災害用備蓄品の収容スペースを圧迫することが無い。また、本発明に係るベンチベッド８０は、非常時にはベッドとして使用することができるため、避難者等の特に就寝時の身体的苦痛を軽減することができる。
【００２６】
尚、本例で示したベンチベッド８０の各部の構成、形状、寸法、デザイン、動作機構等は一例であり、本発明は本発明の要旨を逸脱しない範囲で変更して実施することが可能である。
【符号の説明】
【００２７】
２０    座部
２０ａ  座面
３０    背凭れ部
３０ａ  背凭れ面
４０    脚部
５０    補助脚部
６０    連結部
６２ 第１のプレート
６４ 第２のプレート
６６ 連結シャフト
７２ 固定ピン
７６ 固定孔
７４ａ、７４ｂ、７４ｃ 位置決め孔
８０    ベンチベッド